(57)【要約】【課題】  戸外または湿り気のある空間内において使用可能な、座るため及び／または横になるための家具、特に庭園用寝椅子またはこれに類する物は、少なくとも２つの相対的に互いに位置調節可能な支持部材１０、１４、１８、２２、２６を、この家具の上で休息する人の支持のために有している耐湿性の基礎本体４を備えている。【解決手段】  本発明により、座るため及び／または横になるための家具は、少なくとも１つの電気モータ的な駆動装置を、互いに相対的な支持部材１０、１４、１８、２２、２６の位置調節のために有している。本発明による座るため及び／または横になるための家具は、モータによる位置調節に関して、従来単にモータにより位置調節な、すのこ板から公知であるような機能性を提供し、これらすのこ板は、しかしながら、これらすのこ板の構造に基づいて、戸外または湿り気のある空間内における使用のために適していない。
2008505723.tif 000002
【特許請求の範囲】
【請求項１】
戸外または湿り気のある空間内において使用可能な、座るため及び／または横になるための家具、特に庭園用寝椅子またはこれに類する物であって、
この座るため及び／または横になるための家具が、
少なくとも２つの相対的に互いに位置調節可能な支持部材を、この家具の上で休息する人の支持のために有している耐湿性の基礎本体を備えている様式の上記座るため及び／または横になるための家具において、
少なくとも１つの電気モータ的な駆動装置が、互いに相対的な支持部材（１０、１４、１８、２２、２６）の位置調節のために設けられていることを特徴とする座るため及び／または横になるための家具。
【請求項２】
基礎本体（４）は、基本的に合成物質から成っていることを特徴とする請求項１に記載の座るため及び／または横になるための家具。
【請求項３】
駆動装置、及び／またはこの駆動装置の制御装置は、湿気の侵入に対して密閉されたケーシング内において収容されていることを特徴とする請求項１または２に記載の座るため及び／または横になるための家具。
【請求項４】
基礎本体（４）の少なくとも１つのビーム（２８）は、中空成形体として形成されていることを特徴とする請求項１から３のいずれか一つに記載の座るため及び／または横になるための家具。
【請求項５】
ケーシングは、少なくとも部分的に、基礎本体（４）の中空のビーム（２８）によって形成されていることを特徴とする請求項３または４に記載の座るため及び／または横になるための家具。
【請求項６】
電気モータ的な駆動装置は、少なくとも部分的に、中空のビーム（２８）内において収容されていることを特徴とする請求項４に記載の座るため及び／または横になるための家具。
【請求項７】
基礎本体は、地面の上で家具を配置するための台架（６）を有していることを特徴とする請求項１から６のいずれか一つに記載の座るため及び／または横になるための家具。
【請求項８】
基礎本体は、固定式の、中間の支持部材（１０）を有しており、この中間の支持部材の一方の端部と、基本的に水平方向の旋回軸線（１２）を中心として旋回可能に脚支持部材（１４）が結合されており、且つ、
この中間の支持部材の他方の端部と、基本的に水平方向の旋回軸線（１６）を中心として旋回可能に上半身支持部材（１８）が結合されていることを特徴とする請求項１から７のいずれか一つに記載の座るため及び／または横になるための家具。
【請求項９】
中間の支持部材（１０）と反対側の、上半身支持部材（１８）の端部と、基本的に水平方向の旋回軸線（２４）を中心として旋回可能に頭部支持部材（２６）が結合されていることを特徴とする請求項８に記載の座るため及び／または横になるための家具。
【請求項１０】
中間の支持部材（１０）と反対側の、脚支持部材（１４）の端部と、基本的に水平方向の旋回軸線（２０）を中心として旋回可能にふくらはぎ支持部材（２２）が結合されていることを特徴とする請求項８に記載の座るため及び／または横になるための家具。
【請求項１１】
脚支持部材（１４）、および上半身支持部材（１８）に、共通の電気モータ的な駆動装置が、これらの位置調節のために所属して設けられていることを特徴とする請求項８から１０のいずれか一つに記載の座るため及び／または横になるための家具。
【請求項１２】
この脚支持部材（１４）、および上半身支持部材（１８）に、それぞれ１つの電気モータ的な駆動装置が、これらの位置調節のために所属して設けられていることを特徴とする請求項８から１０のいずれか一つに記載の座るため及び／または横になるための家具。
【発明の詳細な説明】
【技術分野】
【０００１】
本発明は、請求項１の上位概念において提示された様式の座るため及び／または横になるための家具に関する。
【背景技術】
【０００２】
この様式の座るため及び／または横になるための家具は、例えば、庭園用寝椅子、庭園用椅子の様式において、または、湿り気のある空間（Feuchtraeumen）、例えば水泳施設またはウエルネス領域（Wellnessbereichen）内において使用可能な寝椅子の様式において一般的に公知である。これら座るため及び／または横になるための家具は、これら家具の、戸外または湿り気のある空間内における使用に相応して、耐湿性の基礎本体を有しており、この基礎本体が、一般的に、主として合成物質から成り、且つ、少なくとも２つの相対的に互いに位置調節可能な支持部材を、この家具の上で休息する人の支持のために有している。
【発明の開示】
【発明が解決しようとする課題】
【０００３】
従って、本発明の根底をなす課題は、その際に、使用者の快適性が向上されている、請求項１の上位概念内において言及された様式の座るため及び／または横になるための家具を提供することである。
【課題を解決するための手段】
【０００４】
この課題は、請求項１に記述された構成によって解決される。
【発明の効果】
【０００５】
本発明により、少なくとも１つの電気モータ的な駆動装置が、互いに相対的な支持部材の位置調節のために設けられている。このようにして、支持部材の位置調節は、モータにより行なわれ、従って、手動での位置調節はもはや必要ではなく、且つ、これに伴って、使用者のための快適性が著しく向上される。本発明による座るため及び／または横になるための家具の特別の利点は、人が、この家具の上で休息している間、位置調節が行なわれ得ることにある。従って、支持部材の位置調節のために、この家具から立ち上がることは必要ない。同様にこのようにして、使用者のための快適性は著しく向上される。
【０００６】
本発明による座るため及び／または横になるための家具は、モータによる位置調節に関して、従来単にモータにより位置調節な、すのこ板（Lattenrosten）から公知であるような機能性を提供し、これらすのこ板は、しかしながら、これらすのこ板の構造に基づいて、戸外または湿り気のある空間内における使用のために適していない。
【０００７】
本発明による座るため及び／または横になるための家具は、適宜で適当なやり方で、例えば庭園用椅子として構成されていることは可能である。
有利には、本発明による座るため及び／または横になるための家具は、しかしながら、庭園用寝椅子として構成されている。
【０００８】
基本的に、基礎本体は、適宜で耐湿性の材料から成っている。本発明による教示の、有利な更なる構成において、この基礎本体は、基本的に合成物質から成っている。この実施例の場合、この基礎本体は、特別に耐湿性且つ耐候性の材料から成っており、且つ、更に、特に安いコストで製造可能である。本発明の趣旨において、この基礎本体は、この基礎本体の主要な構成要素が合成物質から成る場合、基本的に合成物質から成っており、これに対して、例えば、位置調節金具が金属から成っていることは可能である。
【０００９】
本発明による教示の、非常に有利な更なる構成において、駆動装置、及び／またはこの駆動装置の制御装置は、湿気の侵入に対して密閉されたケーシング内において収容されている。この実施形態の場合、この駆動装置、及び／または制御装置は、特別に高い信頼性で、湿気から、および天候の影響（Witterungseinfluessen）から保護されている。
【００１０】
本発明による教示の、他の有利な更なる構成において、基礎本体の少なくとも１つのビームが、中空成形体として形成されている。この実施形態の場合、この基礎本体は、特別に僅かの重量を有している。
【００１１】
両方の上記の実施形態の特別に有利な更なる構成において、ケーシングが、少なくとも部分的に、基礎本体の中空のビームによって形成されている。この実施形態の場合、駆動装置、及び／または制御装置は、この基礎本体の中空のビーム内において収容されており、従って、この駆動装置、及び／または制御装置を収容するための別個のケーシングは必要ではない。
【００１２】
本発明による教示の、他の有利な更なる構成において、電気モータ的な駆動装置は、少なくとも部分的に、中空のビーム内において収容されている。この実施形態の場合、全ての電気モータ的な駆動装置は、そのことが、ベッドの位置調節可能なすのこ板によって、ドイツ連邦共和国特許出願公開第１９９  ６２  ５４１号明細書（特許文献１）から公知であるように、中空のビーム内において収容されている。しかしながら、この駆動装置のただ一部分だけ、例えば直線駆動装置としてのスピンドル駆動装置を、並びに伝動装置を、この中空のビーム内において収容すること、これに対して、電気モータが、この中空のビームの外側に配設されており、且つ、この中空のビーム内において収容された部材と駆動結合の状態にあることは同様に可能である。
【特許文献１】ドイツ連邦共和国特許出願公開第１９９  ６２  ５４１号明細書
【００１３】
合目的に、基礎本体は、地面の上で家具を配置するための台架を有している。
【００１４】
本発明による座るため及び／または横になるための家具の基礎本体は、適宜で、適当な方法で形成されている。合目的な更なる構成において、この基礎本体は、固定式の、中間の支持部材を有しており、この中間の支持部材の一方の端部と、基本的に水平方向の旋回軸線を中心として旋回可能に脚支持部材が結合されており、且つ、この中間の支持部材の他方の端部と、基本的に水平方向の旋回軸線を中心として旋回可能に上半身支持部材が結合されている。
【００１５】
上記の実施形態の更なる構成において、中間の支持部材と反対側の、上半身支持部材の端部と、基本的に水平方向の旋回軸線を中心として旋回可能に頭部支持部材が結合されている。
【００１６】
他の更なる構成において、中間の支持部材と反対側の、脚支持部材の端部と、基本的に水平方向の旋回軸線を中心として旋回可能にふくらはぎ支持部材が結合されている。
【００１７】
その都度の諸要求に相応して、本発明により、脚支持部材１４、および上半身支持部材１８に、共通の電気モータ的な駆動装置が、これらの位置調節のために所属して設けられていること、または、この脚支持部材１４、および上半身支持部材１８に、それぞれ１つの電気モータ的な駆動装置が、これらの位置調節のために所属して設けられていることは可能である。
【００１８】
次に、本発明を、その図において本発明による座るため及び／または横になるための家具の実施例が庭園用寝椅子の様式で図示されている、添付された極めて概略的な図に基づいて、詳しく説明する。
【発明を実施するための最良の形態】
【００１９】
図面に描かれたこれら図案において、同じもしくは相応する構造部材は、同じ参照符号を備えている。
【００２０】
図１内において、本発明による、戸外または湿り気のある空間内において使用可能な、座るため及び／または横になるための家具の第１の実施例は、庭園用寝椅子２の様式において図示されており、この庭園用寝椅子が、この実施例の場合に基本的に合成物質から成る、耐湿性の基礎本体４を有している。この基礎本体は、地面の上でのこの基礎本体４の配置のための台架を有しており、その際、この台架６は、この実施例の場合、脚部を有しており、これら脚部の内、図１内において単に１つの脚部が参照符号８を付けられている。
【００２１】
基礎本体４は、この実施例の場合、脚部８と結合されている、固定式の、中間の支持部材１０を有しており、庭園用寝椅子２の長手方向にあるこの支持部材の端部と、水平方向の旋回軸線１２を中心として旋回可能に、脚支持部材１４が結合されている。この中間の支持部材１０の、脚支持部材１４と反対側の端部と、水平方向の旋回軸線１６を中心として旋回可能に、上半身支持部材１８が結合されている。この脚支持部材１４の、中間の支持部材１０と反対側の端部と、水平方向の旋回軸線２０を中心として旋回可能に、ふくらはぎ支持部材２２が結合されており、これに対して、この上半身支持部材１８の、中間の支持部材１０と反対側の端部と、水平方向の旋回軸線２４を中心として旋回可能に、頭部支持部材２６が結合されている。
【００２２】
中間の支持部材１０に対して相対的に、支持部材１４、１８、２２、２６を位置調節するために、本発明により、図内において詳細には図示されていない電気モータ的な駆動装置が設けられている。この電気モータ的な駆動装置は、この実施例の場合、制御装置と共に、中空成形体として形成された長手方向ビーム２８内において収容されており、且つ、これら支持部材１４、１８、２２、２６と、適当な位置調節機構を介して駆動結合の状態にある。中空の長手方向ビーム２８内における、電気モータ的な駆動装置の収容、および位置調節機構は、そのことがドイツ連邦共和国特許出願公開第１９９  ６２  ５４１号明細書（特許文献１）から公知であるように形成されており、この特許文献の内容は、上記の事との関連によって、本出願において基礎とされている。
【００２３】
電気モータ的な駆動装置の操作は、図内において図示されていない、制御装置と結合されている手動操作装置を介して行なわれる。
【００２４】
電気モータ的な駆動装置に基づいて、本発明による庭園用寝椅子２は、中間の支持部材１０に対して相対的に支持部材１４、１８、２２、２６の位置調節可能性に関して、従来単に位置調節可能な、すのこ板から公知であるような機能性を提供する。特に、これら支持部材１４、１８、２２、２６の位置調節は、この庭園用寝椅子２の上で休息する人の荷重のもとで行なわれ得る。支持部材１４、１８、２２、２６を位置調節するために、この人が、この庭園用寝椅子２から立ち上がることは従って必要ではない。更に、この位置調節は、快適に且つ力を使わずに（kraftsparend）実施される。
【００２５】
基本的に、ただ１つの電気モータ的な駆動装置が、支持部材１４、１８、２２、２６の位置調節のために設けられている場合、十分である。しかしながら、例えば、脚支持部材１４およびふくらはぎ支持部材２２に、第１の電気モータ的な駆動装置を所属して設けること、これに対して、上半身支持部材１８および頭部支持部材２６に、第２の電気モータ的な駆動装置が所属して設けられていることも可能である。
【００２６】
中空の長手方向ビーム２８内における、電気モータ的な駆動装置の完全な配設によって、この電気モータ的な駆動装置のための別個のケーシングは必要でない。このケーシングは、むしろ、この中空の長手方向ビーム２８によって形成される。この電気モータ的な駆動装置を、完全に、または少なくとも部分的に、基礎本体４の外側に配置することは、しかしながら、本発明により同様に可能である。特に、例えば、この電気モータ的な駆動装置のスピンドル駆動装置が、この長手方向ビーム２８内において収容されており、これに対して、電気モータが、この長手方向ビーム２８の外側に配設されており、且つこのスピンドル駆動装置と、伝動機構を介して駆動結合の状態にあることは可能である。
【００２７】
図２は、図１による庭園用寝椅子を、１つの調節位置において示しており、この調節位置において、脚支持部材１４およびふくらはぎ支持部材２２が、中間の支持部材１０に対して相対的に降下されている。
【００２８】
図３は、図１による庭園用寝椅子を、１つの調節位置において示しており、この調節位置において、上半身支持部材１８および頭部支持部材２６が、中間の支持部材１０に対して相対的に降下されている。
【００２９】
図４内において、本発明による庭園用寝椅子２の、第２の実施例が図示されており、この実施例は、図１による実施例と、基本的に、台架６が、この台架の長手方向にある一方の端部において、この庭園用寝椅子２の位置移動を容易にすることのために、キャスター３０を備え付けられていることによって異なっている。
【００３０】
図５内において、本発明による庭園用寝椅子２の、第３の実施例が図示されており、この実施例は、図３による実施例と、基本的に、ひじ掛け３２が設けられていることによって異なっている。電気モータ的な駆動装置、もしくは複数の電気モータ的な駆動装置を操作するための操作要素は、例えば、押しボタン３４の様式において、このひじ掛け内へと一体にまとめられていることは可能である。
【００３１】
図６内において、本発明による庭園用寝椅子の、第４の実施例が図示されており、この実施例は、図３による実施例と、基本的に、ひじ支持部３６が設けられていることによって異なっており、これらひじ支持部３６は、庭園用寝椅子２の長手方向において、基本的に中間の支持部材１０の全長さにわたって延在している。
【００３２】
図７内において、本発明による庭園用寝椅子２の、第５の実施例が図示されており、この実施例は、図４による実施例と、基本的に、ひじ掛け３２が設けられていることによって異なっている。
【００３３】
図８内において、本発明による庭園用寝椅子の、第６の実施例が図示されており、この実施例は、図６による実施例と、基本的に、台架が、２つの側方から視て基本的にＵ字形の滑り木３８、４０を有していることによって異なっている。
【図面の簡単な説明】
【００３４】
【図１】脚支持部材および上半身支持部材の第１の調節位置における、透視図での、本発明による、庭園用寝椅子２の様式における、座るため及び／または横になるための家具の第１の実施例の図である。
【図２】図１と同じ図示における、脚支持部材の第２の調節位置における、図１による庭園用寝椅子２の図である。
【図３】図１と同じ図示における、上半身支持部材の第２の調節位置における、図１による庭園用寝椅子２の図である。
【図４】図１と同じ図示における、本発明による、座るため及び／または横になるための家具の第２の実施例の図である。
【図５】図１と同じ図示における、本発明による、座るため及び／または横になるための家具の第３の実施例の図である。
【図６】図１と同じ図示における、本発明による、座るため及び／または横になるための家具の第４の実施例の図である。
【図７】図１と同じ図示における、本発明による、座るため及び／または横になるための家具の第５の実施例の図である。
【図８】図１と同じ図示における、本発明による、座るため及び／または横になるための家具の第６の実施例の図である。
【図１】
2008505723.tif 000003
【図２】
2008505723.tif 000004
【図３】
2008505723.tif 000005
【図４】
2008505723.tif 000006
【図５】
2008505723.tif 000007
【図６】
2008505723.tif 000008
【図７】
2008505723.tif 000009
【図８】
2008505723.tif 000010
【国際調査報告】
2008505723.tif 000011
2008505723.tif 000012
2008505723.tif 000013
2008505723.tif 000014
2008505723.tif 000015
2008505723.tif 000016